(57)【特許請求の範囲】
【請求項１】
液中から液面上にわたって設置される無端状のスクリーンパネルと、該スクリーンパネルを回転駆動する駆動源と、スクリーンパネルの内周部両側の少なくとも液中部分を閉塞する塞ぎ板と、スクリーンパネルの内周側に設けられた揚液バケットと、該揚液バケットの上昇側内周部の液面より上方に設けられた液受けとを備え、前記揚液バケットは、前記液受け側に流出口を有するとともに、液受けは、液中から液受け上方に向かって上昇する揚液バケットの流出口を閉塞する揚液板を備えていることを特徴とする揚液装置。
【請求項２】
前記スクリーンパネルの内側に、スクリーンパネルの外側に向けて圧力流体を噴出するノズルを設けたことを特徴とする請求項１記載の揚液装置。
【発明の詳細な説明】
【０００１】
【発明の属する技術分野】
本発明は、揚液装置に関し、詳しくは、液中に浮遊物が存在する液を浮遊物を分離しながら揚液するための揚液装置であって、例えば、硝化槽担体投入型活性汚泥循環法による排水処理装置の硝化液循環用として用いるのに適した揚液装置に関する。
【０００２】
【従来の技術】
従来から、排水中の窒素分を除去する方法として、脱窒槽と硝化槽とを備えた循環式硝化脱窒法が広く採用されている。この循環式硝化脱窒法は、基本的には、前段が無酸素条件下の脱窒槽、後段が好気性条件下の硝化槽で構成され、硝化槽で生成した硝酸性窒素及び亜硝酸性窒素を含む硝化液を前段の脱窒槽へ返流循環して原水と接触させ、原水中のＢＯＤを利用して脱窒菌（嫌気性細菌）の働きで脱窒を図る処理方法である。
【０００３】
従来、硝化槽から脱窒槽に硝化液を返流させる手段としては、一般的な渦巻ポンプ等の揚水ポンプが用いられていたが、循環式硝化脱窒法では、通常、硝化槽から脱窒槽に返流させる硝化液の量を原水の１〜３倍、多いときには約６倍にまで設定しているために硝化液の返流量が極めて多く、ポンプの消費エネルギーが多大であり、ランニングコストに大きく影響していた。また、硝化槽と脱窒槽とは、通常、同じレベルで設けられているため、ポンプ自体の性能（揚程等）も過剰であり、コストアップの一因となっていた。
【０００４】
このため、硝化槽における全面曝気用空気のエアリフト効果を利用して硝化槽から脱窒槽に硝化液を返流させることも行われている。すなわち、硝化槽内を好気性条件下とするために散気装置から発生する空気泡を処理水中に含ませることにより、処理水の見掛けの比重を小さくして比重差に相当する分だけ水位を上昇させることに加えて、空気泡の上昇に伴う液面上昇を利用して硝化槽内の水位を脱窒槽の水位より高くすることで処理水（硝化液）を脱窒槽に流下させるようにしている。
【０００５】
【発明が解決しようとする課題】
しかし、硝化槽に供給する空気泡は、硝化槽内を好気性条件下とするためのものであって、エアリフト効果による揚水は二次的なものであるため、エアリフト効果だけでは、処理水の流入量や流出量が変化すると所定の返流量を確保することが不可能になることがあり、しかも、揚水量が水位に影響されるために返流量の調節が困難であるという問題もあった。
【０００６】
さらに、いずれの返流手段においても、硝化槽内に硝化菌固定化担体を投入した場合は、返流水等に担体が同伴されることを防止するため、固定スクリーン等の固液分離装置を設置しているが、スクリーン等に担体が詰まったり、流入水中に残ったし渣の絡み付きによる閉塞の可能性があった。
【０００７】
そこで本発明は、このような硝化槽担体投入型活性汚泥循環法による排水処理装置における硝化液循環用として用いるのに適し、揚液量の制御が容易で、担体等の固形物の分離も確実に行うことができる揚液装置を提供することを目的としている。
【０００８】
【課題を解決するための手段】
上記目的を達成するため、本発明の揚液装置は、液中から液面上にわたって設置される無端状のスクリーンパネルと、該スクリーンパネルを回転駆動する駆動源と、スクリーンパネルの内周部両側の少なくとも液中部分を閉塞する塞ぎ板と、スクリーンパネルの内周側に設けられた揚液バケットと、該揚液バケットの上昇側内周部の液面より上方に設けられた液受けとを備え、前記揚液バケットは、前記液受け側に流出口を有するとともに、液受けは、液中から液受け上方に向かって上昇する揚液バケットの流出口を閉塞する揚液板を備えていることを特徴としている。また、前記スクリーンパネルの内側から外側に向けて圧力流体を噴出するノズルを設けたことを特徴としている。
【０００９】
【発明の実施の形態】
以下、本発明を、図面を参照してさらに詳細に説明する。図１は本発明の揚液装置の一例を示す概略側面図、図２は揚液装置の正面図、図３は同じく横断面図、図４は要部の斜視図、図５は循環式硝化脱窒法による排水処理装置への設置例を示す概略平面図である。
【００１０】
この揚液装置は、液中から液面上にわたって設置される無端状のスクリーンパネル１と、このスクリーンパネル１の内周側に設けられた揚液バケット２と、この揚液バケット２の上昇側内周部の液面より上方に設けられた液受け３と、スクリーンパネル１の内側から外側に向けて圧力流体を噴出するノズル４とを有するもので、スクリーンパネル１と揚液バケット２とは、エンドレスチェーン５により保持され、スクリーンパネル１の内周部両側を閉塞する塞ぎ板６等に設けられたガイド及びスプロケット（図示せず）により回転可能に支持されており、駆動源である電動機７により回転駆動されている。
【００１１】
揚液バケット２は、液受け３側の一側に流出口２ａとなる開口を形成した箱状のものであって、液受け３には、液中から液受け上部に向かって上昇する揚液バケット２の流出口２ａを閉塞する揚液板３ａが垂直方向に設けられている。
【００１２】
このように形成した揚液装置を図１に示す矢印方向に回転させると、図１左側を液中から上昇する揚液バケット２内の水等は、該揚液バケット２の流出口２ａが揚液板３ａにより閉塞されているため、揚液バケット２と揚液板３ａとに囲まれた部分の量が汲み上げられ、揚液バケット２が揚液板３ａより上方に移動することによって液受け３内に流下し、該液受け３に接続した適宜な流路を介して所望の設備に送られることになる。
【００１３】
また、汲み上げられる水等は、両側が塞ぎ板６で塞がれているため、スクリーンパネル１を通過してスクリーンパネル１の内周部に流入するので、液中の浮遊物が侵入することがなく、揚液バケット２により水等のみを汲み上げることができる。このとき、スクリーンパネル１に捕捉された浮遊物は、スクリーンパネル１の傾斜及びノズル４から噴出する水等の圧力流体によりスクリーンパネル１から除去されて再び液中に戻される。
【００１４】
この揚液装置は、揚液バケット２の容積及びその設置数と、その回転速度とにより揚液量を決定することができるので、運転中の流量変更も、回転速度を調節することにより容易に制御することができる。
【００１５】
このように形成した揚液装置は、例えば、図５に示す循環式硝化脱窒法による排水処理装置の硝化槽１１内に設置されて硝化液の返流と排出とを行うのに適している。この排水処理装置は、原水及び硝化液が流入する脱窒槽１２と、脱窒槽１２の処理水が流入する前記硝化槽１１とを有するもので、揚液装置Ａの液受け３には、硝化槽１１内の処理水を脱窒槽１２に返流する硝化液返流用流路１３と、処理水を次の処理工程に送出する処理水送出流路１４とが接続されている。
【００１６】
原水流入部１５から脱窒槽１２に流入した原水は、硝化液返流用流路１３から流入する１〜６倍量の循環硝化液と混合して撹拌機で撹拌されながら無酸素条件下で脱窒処理された後、流路１６から硝化槽１１内に流入し、散気装置から供給される空気により撹拌されながら好気状態で硝化菌固定化担体に担持された硝化菌により硝化処理される。
【００１７】
そして、硝化槽１１の処理水は、揚液装置Ａで液受け３に揚液された後、硝化液返流用流路１３と処理水送出流路１４とに所定量が分岐して流れ、一部が処理水送出流路１４から次工程に送出され、その１〜６倍量が脱窒槽１２に送り返される。
【００１８】
このように、上記構成の揚液装置Ａを用いることにより、エアリフト効果を利用した硝化液の返流に比べて安定した流量で硝化液を脱窒槽１２に戻すことができ、循環量を増加させて脱窒効率を向上させることもでき、また、一般的な揚水ポンプに比べてコストの低減が図れる。
【００１９】
さらに、スクリーンパネル１の内周側にノズル４を設け、このノズル４から水や空気等をスクリーンパネル１の外側に向けて噴出させることにより、スクリーンパネル１に付着した担体やし渣等をより確実にスクリーンパネル１から除去することができるので、担体の流出を防止できるとともにスクリーンパネル１の閉塞を防止でき、スクリーン面積を小さくすることもできる。
【００２０】
なお、スクリーンパネルや揚液バケットの形状等は、上記実施例に限るものではなく、例えば、スクリーンパネルと揚液バケットとを一体的に形成することもでき、全体を円形状に回転させることもできる。また、スクリーンパネルは、図示のように山形に形成することが、スクリーンパネルからの捕捉物の除去の点で好ましいが、平面状に形成することもできる。さらに、揚液装置の用途も、上記排水処理装置に限らず、様々な設備・装置の揚液手段として用いることができる。
【００２１】
【発明の効果】
以上説明したように、本発明の揚液装置によれば、液中の浮遊物を分離しながら安定した状態で揚液することができ、揚液量の調節も容易である。特に、スクリーンに付着した浮遊物を簡単に除去することができるので、運転中にスクリーンが閉塞することがなく、スクリーン面積を小さくすることができる。
【図面の簡単な説明】
【図１】  本発明の揚液装置の一例を示す概略側面図である。
【図２】  揚液装置の正面図である。
【図３】  同じく横断面図である。
【図４】  要部の斜視図である。
【図５】  揚液装置の設置例を示す概略平面図である。
【符号の説明】
１…スクリーンパネル、２…揚液バケット、２ａ…流出口、３…液受け、３ａ…揚液板、４…ノズル、５…エンドレスチェーン、６…塞ぎ板、７…電動機
【図１】
0003688828.tif 000002
【図２】
0003688828.tif 000003
【図３】
0003688828.tif 000004
【図４】
0003688828.tif 000005
【図５】
0003688828.tif 000006